(57)【要約】【課題】受信機の同期確立後に送信機のＵＷを変更した場合でも受信機が誤って同期維持をすることを防ぐ。【解決手段】送信制御部１４は、ＵＷ変更信号が入力されると、ユニークワード付加部１９に対し、分割ユニークワードと同じデータ長ｋビットのゼロデータを、分割ユニークワードＤＵＷ１〜ＤＵＷｊが１フレームに分散配置される位置と同じ位置に付加するよう指令する。このゼロデータは、ユニークワードとのハミング距離が所定ビットαよりも大きいものとする。【選択図】  図１
2004207957.tif 000002
【特許請求の範囲】
【請求項１】
信号を入力する入力部と、
ユニークワード群から一つのユニークワードを選択及び切り換える送信ユニークワード切換部と、前記送信ユニークワード切換部により選択されたユニークワードである第１選択ユニークワードを前記信号のフレーム上の所定の位置に付加するユニークワード付加部とを有し、前記第１選択ユニークワードの付加された信号を出力する送信出力部と、
を有し、
前記ユニークワード付加部は、前記送信ユニークワード切換部により前記ユニークワードが切り換えられた場合、前記第１選択ユニークワードとのハミング距離が所定ビットＨよりも大きいデータであるユニークワード切換データを前記フレーム上の所定の位置に付加する、送信機。
【請求項２】
前記ユニークワード切換データは前記第１選択ユニークワードのデータ長と同じデータ長のゼロデータである、請求項１に記載の送信機。
【請求項３】
前記ユニークワード切換データは前記第１ユニークワードを分割した分割ユニークワードがフレーム上に分散配置される位置と同じ位置に付加される、請求項１に記載の送信機。
【請求項４】
信号を入力する入力部と、
ユニークワード群から一つのユニークワードを選択及び切り換える送信ユニークワード切換部と、前記送信ユニークワード切換部により選択されたユニークワードである第１選択ユニークワードを前記信号のフレーム上の所定の位置に付加するユニークワード付加部とを有し、前記第１選択ユニークワードの付加された信号を出力する送信出力部と、
を有し、
前記ユニークワード付加部は、前記送信ユニークワード切換部により前記ユニークワードが切り換えられた場合、前記第１選択ユニークワードとのハミング距離が所定ビットＨよりも大きいデータであるユニークワード切換データを前記フレーム上の所定の位置に付加する、送信機と、
ユニークワードを含むフレームを有する信号を受信し、復調して復調信号を出力する受信部と、
前記信号に含まれるユニークワードである受信ユニークワード以外のデータである第１データを前記復調信号から出力するデータ出力部と、
前記データ出力部から出力された第１データに所定の処理を施して出力する処理部と、
ユニークワード群から一つのユニークワードを選択及び切り換える受信ユニークワード切換部と、
前記受信部から出力された復調信号から所定のタイミングごとにユニークワードを抽出するユニークワード抽出部と、前記抽出されたユニークワードである抽出ユニークワードと前記受信ユニークワード切換部により選択されたユニークワードである第２選択ユニークワードとが一致するか否かを判断し、前記抽出ユニークワードと前記第２選択ユニークワードとが一致する場合、前記データ出力部に前記第１データの出力を指令する同期確立部と、前記同期確立部による前記第１データの出力の指令後、前記抽出ユニークワードと前記第２選択ユニークワードとが一致するかまたは一致しないが一致しないビット数がＨ以内であるか否かを判断し、前記抽出ユニークワードと前記選択ユニークワードとが一致せずかつ一致しないビット数がＨより大きい場合、前記データ出力部に前記第１データの出力の終了を指令する同期維持部とを含む制御部と、を有する受信機と、
を備えた無線通信システム。
【発明の詳細な説明】
【０００１】
【発明の属する技術分野】
本発明は、デジタル無線通信に係る送信機及び無線通信システムに関する。
【０００２】
【従来の技術】
あるデジタル無線通信システムのサービスエリアと、他のデジタル無線通信システムのサービスエリアとが重なる場合において、他のデジタル無線通信システムの信号には同期せず、自身の信号だけに同期するため、ユニークワード（ＵＷ）を送信機及び受信機で可変する機能が知られている。例えば、特許文献１によると、送信機と受信機に予め記憶されたユニークワードをユーザが可変して選択できる機能を設ける。そして、自身のサービスエリアと他のシステムのサービスエリアとが重なる場合、ユーザが送信機と受信機のユニークワードを変更する。ここで、ユーザが変更する送信機と受信機のユニークワードは、フレームの同期を確立するために同一にする必要がある。このようにユニークワードを変更すれば、他のシステムの信号のユニークワードを自身のシステムが使用するユニークワードと誤って検出して同期を確立し、他のシステムの送信データを誤って処理してしまうことを防ぐことができる。
【０００３】
【特許文献１】
特開２０００−２２８６６１号公報
【０００４】
【発明が解決しようとする課題】
上記特許文献１のようなＵＷ可変機能を使用する場合、ユーザは送信機と受信機を操作してユニークワードを同一にする必要がある。しかし、同期の確立後ユーザの操作により送信機と受信機のユニークワードが同一でなくなった場合であっても、受信機は送信機のユニークワードが変更されたことを検知できない。従って、送信機のユニークワードを変更しても受信機が所定のビット数のユニークワードの誤りを許容する場合、ユニークワードを変更しても引き続き同期を維持してしまうという問題が生じる可能性がある。
【０００５】
このような問題を解決する方法としては、例えば変更可能なユニークワード間のハミング距離を誤り許容範囲のビット数よりも大きくすることが考えられる。しかし、この場合、誤り許容範囲のビット数が増大するに従って変更できるユニークワードの数も減少し、例えば無線通信システムを秘話用途に用いることが困難になる。あるいは、送信機の電源が投入されているときは、ユニークワードの変更が不可能であるようにすることが考えられる。しかし、この場合、電源投入後はユニークワードを変更できず、ユーザの利便性が低下する。あるいは、受信信号のユニークワードと受信機で選択されたユニークワードとが完全に一致した場合のみデータを処理することが考えられる。しかし、この場合、ユニークワードの誤りを全く許容しないこととなるため、無線通信の性質上データ処理の中断が頻繁に発生することとなり適切でない。
【０００６】
本発明の目的は、受信機の同期確立後に送信機のユニークワードを変更した場合でも受信機が引き続き同期を維持してしまうことを防ぐことが可能な送信機及び無線通信システムを提供することにある。
【０００７】
【課題を解決するための手段】
請求項１に係る送信機は、入力部と、送信ユニークワード切換部とユニークワード付加部とを有する送信出力部とを有し、ユニークワード付加部は、送信ユニークワード切換部によりユニークワードが切り換えられた場合、第１選択ユニークワードとのハミング距離が所定ビットＨよりも大きいデータであるユニークワード切換データをフレーム上の所定の位置に付加する。入力部は、信号を入力する。送信ユニークワード切換部は、ユニークワード群から一つのユニークワードを選択及び切り換える。ユニークワード付加部は、送信ユニークワード切換部により選択されたユニークワードである第１選択ユニークワードを信号のフレーム上の所定の位置に付加する。送信出力部は、第１選択ユニークワードの付加された信号を出力する。
【０００８】
ここでは、受信機が同期確立した後第１選択ユニークワードとのハミング距離が所定ビットＨよりも大きいデータを検出した場合非同期状態に遷移するようにすれば、受信機が同期確立した後に送信機でユニークワードが切り換えられた場合であっても受信機が引き続き同期を維持してしまうことを回避できる。
請求項２に係る送信機は、請求項１に記載の送信機において、ユニークワード切換データは第１選択ユニークワードのデータ長と同じデータ長のゼロデータである。
【０００９】
ここでは、簡便にユニークワード切換データをフレームに付加することができる。
請求項３に係る送信機は、請求項１に記載の送信機において、ユニークワード切換データは第１ユニークワードを分割した分割ユニークワードがフレーム上に分散配置される位置と同じ位置に付加される。
ここでは、分割ユニークワードの分散配置される位置と同じ位置にユニークワード切換データを付加することで、ユニークワードが分散配置されており、受信機が同期確立した後に送信機でユニークワードが切り換えられた場合であっても、受信機が引き続き同期を維持してしまうことを回避できる。
【００１０】
請求項４に係る無線通信システムは、送信機と受信機とを備えている。送信機は、信号を入力する入力部と、ユニークワード群から一つのユニークワードを選択及び切り換える送信ユニークワード切換部と、送信ユニークワード切換部により選択されたユニークワードである第１選択ユニークワードを信号のフレーム上の所定の位置に付加するユニークワード付加部とを有し、第１選択ユニークワードの付加された信号を出力する送信出力部とを有しており、ユニークワード付加部は、送信ユニークワード切換部によりユニークワードが切り換えられた場合、第１選択ユニークワードとのハミング距離が所定ビットＨよりも大きいデータであるユニークワード切換データをフレーム上の所定の位置に付加する。受信機は、ユニークワードを含むフレームを有する信号を受信し、復調して復調信号を出力する受信部と、信号に含まれるユニークワードである受信ユニークワード以外のデータである第１データを復調信号から出力するデータ出力部と、データ出力部から出力された第１データに所定の処理を施して出力する処理部と、ユニークワード群から一つのユニークワードを選択及び切り換える受信ユニークワード切換部と、受信部から出力された復調信号から所定のタイミングごとにユニークワードを抽出するユニークワード抽出部と、抽出されたユニークワードである抽出ユニークワードと受信ユニークワード切換部により選択されたユニークワードである第２選択ユニークワードとが一致するか否かを判断し、抽出ユニークワードと第２選択ユニークワードとが一致する場合、データ出力部に第１データの出力を指令する同期確立部と、同期確立部による第１データの出力の指令後、抽出ユニークワードと第２選択ユニークワードとが一致するかまたは一致しないが一致しないビット数がＨ以内であるか否かを判断し、抽出ユニークワードと選択ユニークワードとが一致せずかつ一致しないビット数がＨより大きい場合、データ出力部に第１データの出力の終了を指令する同期維持部とを含む制御部と、を有する。
【００１１】
ここでは、受信機がユニークワード切換データを受信するとデータ出力部は第１データを出力しない。従って、受信機が同期確立後に送信機でユニークワードが切り換えられた場合、切り換え前のユニークワードとのハミング距離が所定ビットＨ以内であるユニークワードを使用する信号に対し誤った同期維持をすることを回避できる。さらに、ユニークワード群間のハミング距離が所定ビットＨ以内であっても誤った同期維持をを回避できるため、ユニークワード群間のハミング距離をＨ以下にして選択できるユニークワードを増やし、秘話用途に用いるなどユーザの利便性を向上させることもできる。
【００１２】
【発明の実施の形態】
＜第１実施形態＞
（１）構成
図１は、本発明の第１実施形態に係る送信機１０の概略構成図である。
送信機１０は、第１入力端子１１と、デジタル符号化部１２と、送信ＵＷ可変設定部１３と、送信制御部１４と、誤り訂正符号化部１５と、変調部１６と、第１出力端子１７と、ユニークワード付加部１９とを備えている。第１入力端子１１は、マイクロホンなどの外部音源１００と接続され、外部音源１００からのアナログ音声信号を入力する。デジタル符号化部１２は、入力されたアナログ音声信号をデジタル符号化する。誤り訂正符号化部１５は、符号化されたデジタル音声信号を誤り訂正符号化する。送信ユニークワード（ＵＷ）可変設定部１３は、複数のユニークワードを記憶している。本実施形態では、図３に示すように記憶される任意のユニークワードはｊ＊ｋビットである。そして、送信ＵＷ可変設定部１３は、ユーザの操作などにより記憶された複数のユニークワードの内１つのユニークワードの選択を受け付ける。ユニークワードの選択は、例えば図８に示すような回転式スイッチを送信機１０に設け、この回転式スイッチをユーザが回転することにより行われる。尚、ユニークワードの選択は、記憶された各ユニークワードに順序を設定しこの順序に従って、または記憶されたユニークワードからランダムにユニークワードを選択するようにすることもできる。そして、送信ＵＷ可変設定部１３は、ユニークワードの選択を受け付けた場合、ＵＷ変更信号を送信制御部１４に出力する。
【００１３】
ユニークワード付加部１９は、送信制御部１４の指令に応じ、送信ＵＷ可変設定部１３が選択を受け付けたユニークワードである第１選択ユニークワードをデジタル音声信号に付加する。本実施形態では、第１選択ユニークワードの付加は、図４に示すように第１選択ユニークワードをｋビットずつ分割してなる分割ユニークワードＤＵＷ１〜ＤＵＷｊが１フレームに含まれる音声データＤＡＴＡ１〜ＤＡＴＡｊに対応して１フレーム中に分散配置されることにより行われるものとする。また、ユニークワード付加部１９は、送信制御部１４の指令に応じ、後述のｋビットゼロデータをデジタル信号に付加する。変調部１６は、誤り符号化されたデジタル信号をデジタル変調し、第１出力端子１７に出力する。第１出力端子１７は、送信アンテナ１０１と接続されており、変調された信号を送信アンテナ１０１に出力する。送信アンテナ１０１は、変調された信号を送信する。
【００１４】
送信制御部１４は、ＵＷ変更信号を入力すると、ユニークワード付加部１９に対し、分割ユニークワードと同じデータ長ｋビットのゼロデータ（以下、ｋビットゼロデータという）を、分割ユニークワードＤＵＷ１〜ＤＵＷｊが１フレームに分散配置される位置と同じ位置に付加するよう指令する。送信制御部１４の行う処理については後述する。
図２は、本発明を利用した受信機２０の概略構成図である。受信機２０は、送信機１０とともに用いられる。以下、送信機１０及び受信機２０をあわせて無線通信システムと呼ぶ。
【００１５】
受信機２０は、第２入力端子２１と、ＲＦ受信部２２と、受信ユニークワード（ＵＷ）可変設定部２３と、受信制御部２５と、誤り検出訂正部２６と、ミューティング部２７と、音声復号部２８と、第２出力端子２９とを備えている。第２入力端子２１は、受信アンテナ２００と接続されている。第２入力端子２１は、受信アンテナ２００が受信した信号をＲＦ受信部２２に出力する。ＲＦ受信部２２は、受信アンテナ２００が受信した信号のうち所定の帯域内に存在する信号、例えば高周波信号を選択して復調する。ＲＦ受信部２２は、復調器を含み、必要に応じて公知の高周波帯域フィルタ、高周波増幅器、ミキサ、局部発振器（ＯＳＣ）、受信信号強度（ＲＳＳＩ）を検出するためのＲＳＳＩ回路などを含んでいる。受信ユニークワード（ＵＷ）可変設定部２３は、複数のユニークワードを記憶しており、このうち１つのユニークワードの選択を受け付ける。ユニークワードの選択は、例えば図８に示すような回転式スイッチを受信機２０に設け、この回転式スイッチをユーザが操作することにより行われる。受信制御部２５は、後述のデータ出力処理を実行し、ユニークワード抽出の有無及びＵＷ抽出の回数に基づいてミューティング部２７に音声をミュートさせるか、あるいはミューティング部２７の音声ミュートを終了させ、音声データＤＡＴＡ１〜ＤＡＴＡｊを音声復号部２８に出力するかを制御する。
【００１６】
誤り検出訂正部２６は、公知の誤り検出訂正回路を有し、音声データＤＡＴＡ１〜ＤＡＴＡｊ中の所定の誤りを検出、訂正してミューティング部２７に出力する。ミューティング部２７は、受信制御部２５からのミュート開始信号に基づいて音声復号部２８への音声データＤＡＴＡ１〜ＤＡＴＡｊの出力をオフにし、音声をミュートする。音声復号部２８は、音声データＤＡＴＡ１〜ＤＡＴＡｊをアナログ信号に変換し、第２出力端子２９に出力する。出力されたアナログ信号は、第２出力端子２９に接続されたスピーカ２０１から空気中に拡声される。
【００１７】
（２）無線通信システムで行われる処理
（２−１）送信制御部が行う処理
まず、送信制御部１４が行うユニークワード／ゼロデータ付加制御処理を図６に示すフローチャートに基づいて説明する。この処理では、送信制御部１４がＵＷ変更信号の入力の有無に応じ、分割ユニークワードをフレームに分散配置させるか、あるいは分割ユニークワードを分散配置させる位置にｋビットゼロデータを付加させるかを制御する。この処理は、送信機１０の電源投入時に開始し、送信機１０の電源切断時に終了する。
【００１８】
ステップＳ１：送信制御部１４は、ＵＷ変更信号が送信ＵＷ可変設定部１３から入力されたか否かを判断する。ＵＷ変更信号が入力されなかった場合、ステップＳ２へ移行する。ＵＷ変更信号が入力された場合、ステップＳ３へ移行する。ステップＳ２：送信制御部１４は、ユニークワード付加部１９に対しフレーム中に分割ユニークワードを分散配置するよう指令する。ユニークワード付加部１９は、この指令を受け付けると、図４に例示するように第１選択ユニークワードを分割した分割ユニークワードＤＵＷ１〜ＤＵＷｊを１フレームに分散配置する。
【００１９】
ステップＳ３：送信制御部１４は、ユニークワード付加部１９に対しｋビットゼロデータを付加するよう指令する。ユニークワード付加部１９は、この指令を受け付けると、図５に例示するように分割ユニークワードＤＵＷ１〜ＤＵＷｊが１フレームに分散配置される位置と同じ位置にｋビットゼロデータを付加する。以上の処理により、ユニークワードが切り換えられると、ｋビットゼロデータがフレーム中の分割ユニークワードの分散配置される位置と同じ位置に付加される。
【００２０】
（２―２）受信制御部が行う処理
次に、受信制御部２５が行うデータ出力処理を図７に示すフローチャートに基づいて説明する。この処理では、ユニークワード抽出の有無及びＵＷ抽出の回数に基づいて同期状態または非同期状態への遷移が起こる。そして、同期状態では音声データＤＡＴＡ１〜ＤＡＴＡｊがミューティング部２７から音声復号部２８に出力される。また、非同期状態では、ミューティング部２７にミュート開始信号が出力され音声がミュートされる。本実施形態では、同期状態とは、受信機２０の有する図示しないメモリなどに記憶された同期フラグが「１」の場合をいい、非同期状態とは同期フラグが「０」の場合をいう。この処理は、受信機２０の電源投入時に開始され、電源切断時に終了する。なお、電源投入時は同期フラグ＝０であるものとする。
【００２１】
ステップＳ１１：受信制御部２５は、受信ＵＷ可変設定部２３により選択されたユニークワードである第２選択ユニークワードと、フレームデータから所定のタイミングで抽出されたデータである第１抽出データとが完全に一致するか否かを判断する。ここで、所定のタイミングとは、例えば図４に示すように分割ユニークワードＤＵＷ１〜ＤＵＷｊがフレームデータに分散配置されている場合は、受信制御部２５がｋビットの分割ユニークワードＤＵＷ１〜ＤＵＷｊを入力するのに要する時間だけフレームデータからデータを１ビットずつ計ｋビット抽出する。次に、受信制御部２５がｉビットの音声データを入力するのに要する時間はデータを抽出せず待機する。その後、再び上記と同様にｋビット抽出し、これをｊ回繰り返して総計ｋ＊ｊビットのデータを抽出するようなタイミングとする。第１抽出データと第２選択ユニークワードとが完全に一致する場合、ステップＳ１２へ移行する。完全に一致しない場合、ステップＳ１７へ移行する。
【００２２】
ステップＳ１２：受信制御部２５は、同期状態か否かを判断する。即ち、受信制御部２５は、同期フラグ＝１か否かを判断する。同期フラグ＝１の場合、ステップＳ１６へ移行する。同期フラグ＝０の場合、ステップＳ１３へ移行する。
ステップＳ１３：受信制御部２５は、ＵＷ検出信号を入力した回数ｍをインクリメントして受信機２０の有する図示しないメモリなどに記憶する。なお、ｍはデフォルトで０が記憶されているものとする。
ステップＳ１４：受信制御部２５は、第１抽出データと第２選択ユニークワードとが完全に一致した回数ｍが所定回数Ｍを超えたか否かを判断する。即ち、受信制御部２５は、ｍ＞Ｍか否かを判断する。ｍ＞Ｍの場合、ステップＳ１５へ移行する。ｍ≦Ｍの場合、ステップＳ１１へ戻り、ｍ＞ＭとなるまでステップＳ１１〜１４を繰り返す。なお、Ｍは、突発的なユニークワード誤検出などによる同期状態への誤った遷移を回避する観点からは大きい数であることが好ましいが、拡声開始の遅れを回避する観点からは、小さい数であることが好ましい。このため、Ｍはこれらの観点から経験的に決定される。
【００２３】
ステップＳ１５：受信制御部２５は、同期フラグ＝１として受信機２０の有する図示しないメモリなどに記憶する。
ステップＳ１６：受信制御部２５は、ミューティング部２７へミュート終了信号を出力し、ステップＳ１１へ戻る。ミューティング部２７は、ミュート終了信号を入力すると、音声データＤＡＴＡ１〜ＤＡＴＡｊを音声復号部２８へ出力する。
ステップＳ１７：受信制御部２５は、第２選択ユニークワードと、フレームデータから所定のタイミングで抽出されたデータである第２抽出データとが完全に一致するか、または完全に一致しないが一致しないビット数が所定数α以内（例えば、２ビット以内）であるか否かを判断する。第２選択ユニークワードと第２抽出データとが完全に一致するか、または完全に一致しないが一致しないビット数が所定数α以内である場合、引き続きフレームデータから所定のタイミングで第２抽出データを抽出し、本ステップの判断を繰り返す。ここで、本ステップの判断が繰り返される限り、音声データＤＡＴＡ１〜ＤＡＴＡｊは音声復号部２８へ出力されるものとする。第２選択ユニークワードと第２抽出データとが一致せずかつ一致しないビット数が所定数α以内でない場合、ステップＳ１８へ移行する。ここで、第２抽出データがｋビットゼロデータを含んでいる場合、第２選択ユニークワードと第２抽出データとのハミング距離は所定数αより大きいものとする。
【００２４】
ステップＳ１８：受信制御部２５は、同期フラグ＝０として受信機２０の有する図示しないメモリなどに記憶する。
ステップＳ１９：受信制御部２５は、ミューティング部２７へミュート開始信号を出力し、ステップＳ１１へ戻る。ミューティング部２７は、ミュート開始信号が入力されると、音声データＤＡＴＡ１〜ＤＡＴＡｊの音声復号部２８への出力を停止する。
以上のように、送信機１０のユニークワードが切り換えられた場合にｋビットゼロデータをフレーム中の分割ユニークワードの分散配置される位置と同じ位置に付加すれば、受信機２０はステップＳ１７により非同期状態となる。そして、同期確立のための処理ステップＳ１１〜１４が実行され、所定回数Ｍ回だけ記憶されたユニークワードと第１抽出データとが完全に一致しない限り同期状態とはならない。
【００２５】
従って、ステップＳ１５で同期状態となった後で送信機１０でユニークワードが切り換えられ、ステップＳ１７でαビットの誤りが許容される場合であっても、誤って引き続き信号の同期を維持することを防ぐことができる。
＜第２実施形態＞
図９は、本発明の第２実施形態に係る送信機１０の概略構成図である。この送信機１０は、上記第１実施形態と同様の構成及び機能を有する受信機２０とともに用いられる。
【００２６】
送信機１０は、第１入力端子１１と、デジタル符号化部１２と、送信ＵＷ可変設定部１３と、送信制御部１４と、誤り訂正符号化部１５と、変調部１６と、第１出力端子１７と、スイッチ１８と、ユニークワード付加部１９とを備えている。第１入力端子１１、デジタル符号化部１２、誤り訂正符号化部１５、送信ユニークワード（ＵＷ）可変設定部１３、変調部１６、第１出力端子１７、ユニークワード付加部１９は、前記第１実施形態と同様の機能を有する。
スイッチ１８は、誤り訂正符号化部１５と変調部１６との接続をオンまたはオフにする。送信制御部１４は、図示しないタイマーを有しており、ＵＷ変更信号を入力するとスイッチ１８を所定時間Ｔ１オフにしたあとオンにする。ここで、Ｔ１は、図４に示すようにフレーム中に分散配置された分割ユニークワードＤＵＷ１〜ＤＵＷｊを受信機２０の受信制御部２５が検出するのに要する時間Ｔ０より長い時間である。
【００２７】
スイッチ１８が送信制御部１４により所定時間Ｔ１オフにされると、変調部１６はＴ１に対応するデータ長のゼロ信号をデジタル変調し、出力端子１７にこれを出力する。送信アンテナ１０１は、ゼロ信号を送信する。
上記第１実施形態と同様の構成及び機能を有する受信機２０の受信制御部２５が、前記上記第１実施形態と同様のデータ出力処理を実行すれば、受信機２０は時間Ｔ０の間ゼロ信号を受信するため、ユニークワードがゼロデータでない限りユニークワードを検出できず、非同期状態となる。そして、同期確立のための処理ステップＳ１１〜１４が実行され、記憶されたユニークワードと第１抽出データとが所定回数Ｍ回だけ完全に一致しない限り同期状態とはならない。
【００２８】
従って、ステップＳ１５で同期状態となった後で送信機でユニークワードが切り換えられ、ステップＳ１７でαビットの誤りが許容される場合であっても、誤って引き続き信号の同期を維持することを防ぐことができる。
＜その他の実施形態＞
（Ａ）上記第１実施形態のデータ出力処理は、ＣＰＵが実行するソフトウェアや、ＦＰＧＡ(Field Programmable Gate Array)などの集積回路によっても実現可能である。
【００２９】
（Ｂ）上記第１実施形態の音声データＤＡＴＡ１〜ＤＡＴＡｊは、画像データなど、音声以外のデータであってもよい。
（Ｃ）上記第１実施形態の送信機１０及び受信機２０を一体に構成し、デジタル無線送受信機を構成しても良い。
（Ｄ）上記第１実施形態のユニークワード付加部１９は、分割ユニークワードＤＵＷ１〜ＤＵＷｊが１フレームに分散配置される位置と同じ位置にｋビットゼロデータを付加していた。しかし、第２抽出データと第１選択ユニークワードとのハミング距離が所定数αより大きくなるような任意のデータである非同期発生データを付加するようにしても良い。例えば、非同期発生データとして、ＤＵＷ１が１フレームに分散配置される位置と同じ位置にｋビットゼロデータを付加するようにしても良い。この場合であっても、受信機２０はステップＳ１７により非同期状態となる。従って、上記第１実施形態のデータ出力処理のステップＳ１５で同期状態となった後で送信機でユニークワードが切り換えられ、ステップＳ１７でαビットの誤りが許容される場合であっても、受信機が引き続き信号の同期を維持することを防ぐことができる。
【００３０】
（Ｅ）上記第１実施形態の第１選択ユニークワードを分割してフレームに分散配置せず、第１選択ユニークワードをフレームの先頭などに付加するようにしても良い。即ち、上記第１実施形態のユニークワード／ゼロデータ付加処理のステップＳ２において、例えば図１０に示すように第１選択ユニークワードをフレームの先頭などに付加するよう指令しても良い。そして、上記第１実施形態のユニークワード／ゼロデータ付加処理のステップＳ３において、ｊ＊ｋビットのゼロデータ（以下、ｊ＊ｋビットゼロデータという）を、例えば図１１に示すようにフレームの先頭などに付加するようにしても良い。一方、上記第１実施形態のデータ出力処理のステップＳ１１の第１抽出データ、Ｓ１７の第２抽出データの抽出は、受信制御部２５がｊ＊ｋビットの第１選択ユニークワードＵＷを入力するのに要する時間だけフレームからデータを１ビットずつ計ｊ＊ｋビット抽出することで行う。この場合でも、上記第１実施形態のデータ出力処理のステップＳ１５で同期状態となった後で送信機でユニークワードが切り換えられ、ステップＳ１７でαビットの誤りが許容される場合であっても、受信機が引き続き信号の同期を維持することを防ぐことができる。
【００３１】
【発明の効果】
本発明を用いれば、受信機の同期確立後に送信機のユニークワードを変更した場合でも受信機が誤って引き続き同期を維持してしまうことを防ぐことが可能な送信機及び無線通信システムを実現することができる。
【図面の簡単な説明】
【図１】第１実施形態に係る送信機の概略構成図。
【図２】第１実施形態に係る受信機の概略構成図。
【図３】ユニークワード及び分割ユニークワードの概念説明図。
【図４】フレームに分散配置された分割ユニークワード及び音声データの概念説明図。
【図５】フレームに付加されたｋビットゼロデータ及びフレームに分散配置された音声データの概念説明図。
【図６】ユニークワード／ゼロデータ付加制御処理の流れを示すフローチャート。
【図７】データ出力処理の流れを示すフローチャート。
【図８】送信機及び受信機においてユニークワードを選択するための回転式スイッチの一例。
【図９】第２実施形態に係る送信機の概略構成図。
【図１０】その他の実施形態に係るフレームの概念説明図。
【図１１】その他の実施形態に係るフレームに付加されたｊ＊ｋビットゼロデータの概念説明図。
【符号の説明】
１０：送信機
２０：受信機
１４：送信制御部
２５：受信制御部
【図１】
2004207957.tif 000003
【図２】
2004207957.tif 000004
【図３】
2004207957.tif 000005
【図４】
2004207957.tif 000006
【図５】
2004207957.tif 000007
【図６】
2004207957.tif 000008
【図７】
2004207957.tif 000009
【図８】
2004207957.tif 000010
【図９】
2004207957.tif 000011
【図１０】
2004207957.tif 000012
【図１１】
2004207957.tif 000013